(57)【特許請求の範囲】
【請求項１】
紙葉類が投入される投入部と、
少なくとも真偽判定を含む判定対象とする紙葉類と、判定対象としない紙葉類を設定する設定部と、
前記投入部から投入された紙葉類のうち、前記設定部により判定対象として設定された紙葉類に関する少なくとも真偽判定処理を行う判定部と
を備えたことを特徴とする紙葉類処理装置。
【請求項２】
前記紙葉類を撮像する撮像部と、
前記投入部から投入された紙葉類のうちの前記撮像部により撮像された所定の種別の紙葉類の画像データを該紙葉類に対応する所定の管理装置に対して送信処理する送信処理部とをさらに備え、
前記設定部は、
前記管理装置に対して画像データを送信処理する所定の種別の紙葉類を判定対象とし、前記所定の種別以外の紙葉類を判定対象としないように設定する
ことを特徴とする請求項１に記載の紙葉類処理装置。
【請求項３】
前記設定部により判定対象として設定された正規な紙葉類の画像データ又は該画像データに含まれる透かし部分、蛍光部分、ホログラム、スレッド部分、マイクロ文字部分のうちの一つ又は複数を登録データとして記憶する記憶部をさらに備え、
前記判定部は、
前記撮像部により撮像された所定の種別の紙葉類の画像データ又は該画像データに含まれる透かし部分、蛍光部分、ホログラム、スレッド部分、マイクロ文字部分の一つ又は複数の組合せと、前記記憶部に記憶された登録データとに基づいて、前記設定部により判定対象として設定された紙葉類の真偽判定処理を行う
ことを特徴とする請求項２に記載の紙葉類処理装置。
【請求項４】
前記送信処理部は、
所定の種別の紙葉類の画像データとともに、該紙葉類についての判定部による判定結果を該紙葉類に対応する所定の管理装置に対して送信処理する
ことを特徴とする請求項２又は３に記載の紙葉類処理装置。
【請求項５】
前記紙葉類は商品の決済に使用可能な商品券であり、
前記設定部は、発行元へのデータの送信が必要な商品券を判定対象に設定し、発行元への現物の送付が必要な商品券を判定対象としない
ことを特徴とする請求項１〜４のいずれか一つに記載の紙葉類処理装置。
【請求項６】
前記紙葉類は貨幣であり、
前記設定部は、第１の国が発行した貨幣を判定対象に設定し、第２の国が発行した貨幣を判定対象としない
ことを特徴とする請求項１〜４のいずれか一つに記載の紙葉類処理装置。
【請求項７】
紙葉類処理装置と、所定の管理装置とを通信可能に接続した紙葉類処理システムであって、
前記紙葉類処理装置は、
紙葉類が投入される投入部と、
少なくとも真偽判定を含む判定対象とする紙葉類と、判定対象としない紙葉類を設定する設定部と、
前記投入部から投入された紙葉類のうち、前記設定部により判定対象として設定された紙葉類に係るデータを前記管理装置に対して通知する紙葉類データ通知部とを有し、
前記管理装置は、
前記紙葉類処理装置から通知された紙葉類に係るデータに基づいて、該紙葉類に関する少なくとも真偽判定を行う判定部と、
前記判定部による判定結果を前記紙葉類処理装置に通知する判定結果通知部とを有する
ことを特徴とする紙葉類処理システム。
【請求項８】
前記管理装置は、
前記判定部により前記紙葉類が偽であると判定された場合に、該紙葉類に係る情報を各店舗の管理装置に通知する偽情報通知部
をさらに備えたことを特徴とする請求項７に記載の紙葉類処理システム。
【請求項９】
紙葉類が投入される投入部を有する紙葉類処理装置における紙葉類処理方法であって、
少なくとも真偽判定を含む判定対象とする紙葉類と、判定対象としない紙葉類を設定する設定工程と、
前記投入部から投入された紙葉類のうち、前記設定工程により判定対象として設定された紙葉類に関する少なくとも真偽判定処理を行う判定工程と
を含んだことを特徴とする紙葉類処理方法。
【発明の詳細な説明】
【技術分野】
【０００１】
この発明は、複数種類の紙葉類の投入を受け付ける紙葉類処理装置、紙葉類処理システム及び紙葉類処理方法に関する。
【背景技術】
【０００２】
従来、スーパーマーケットや百貨店等の商業施設には、商業施設内の各レジの売上金を入金する「売上金入金機」と呼ばれる貨幣処理装置が配設されている。かかる売上金入金機として、売上金としての貨幣だけではなく、商品券を収納できる従来技術が知られている。例えば、特許文献１には、貨幣と商品券の搬送・保管を１台の装置で行うことにより、省スペース化を実現する技術が開示されている。
【０００３】
かかる商品券は、いわゆるビール券や図書券などのように商品券の発行元に対して商品券の現物を送付するもの（以下、「現物請求券」と言う）と、クレジットカード会社等により発行され、商品券に係るデータを発行元に送信するもの（以下、「データ請求券」と言う）とに大別される。売上金入金機では、これらの商品券の真偽判定等を行うことなく、該商品券を収納部に収納することになる。商品券の種類は５０００種類以上存在し、売上金入金機において全ての種類の商品券を真偽判定することは現実的ではないからである。
【先行技術文献】
【特許文献】
【０００４】
【特許文献１】特開２０１４−７８０８９号公報
【発明の概要】
【発明が解決しようとする課題】
【０００５】
しかしながら、上記の特許文献１のように、売上金入金機にて商品券の真偽判定を行わないこととすると、悪意のある第三者によって偽造された商品券（以下、「偽造券」と言う）の存在を発見するまでに時間を要する結果となり、様々な問題を引き起こす。
【０００６】
この点を具体的に説明すると、商品券のうちのデータ請求券は、発行元において送信データに基づいて偽造券であるか否かが判定されることになるが、偽造券であると判定されるまでに時間を要する。このため、店舗が偽造券の存在の事実を把握するまでに時間を要し、それまでの間に新たな偽造券が店舗で度々使用され、偽造券対策で後手を踏む可能性がある。
【０００７】
加えて、店舗から本部に対して売上金を報告した後に、偽造券が存在する事実を店舗が把握できたとしても、この偽造券に関する減損処理を事前に行うことができず、店員による無用の手間が生ずるという問題もある。
【０００８】
これらのことから、売上金入金機において商品券の真偽判定をいかに効率良く行うかが重要な課題となっている。かかる課題は、商品券についてのみ生ずる課題ではなく、貨幣等の紙葉類全般について生ずる課題である。
【０００９】
本発明は、上記従来技術の課題を解決するためになされたものであって、紙葉類の真偽判定を効率良く行うことができる紙葉類処理装置、紙葉類処理システム及び紙葉類処理方法を提供することを目的とする。
【課題を解決するための手段】
【００１０】
上述した課題を解決し、目的を達成するため、本発明は、紙葉類が投入される投入部と、少なくとも真偽判定を含む判定対象とする紙葉類と、判定対象としない紙葉類を設定する設定部と、前記投入部から投入された紙葉類のうち、前記設定部により判定対象として設定された紙葉類に関する少なくとも真偽判定処理を行う判定部とを備えたことを特徴とする。
【００１１】
また、本発明は、上記の発明において、前記紙葉類を撮像する撮像部と、前記投入部から投入された紙葉類のうちの前記撮像部により撮像された所定の種別の紙葉類の画像データを該紙葉類に対応する所定の管理装置に対して送信処理する送信処理部とをさらに備え、前記設定部は、前記管理装置に対して画像データを送信処理する所定の種別の紙葉類を判定対象とし、前記所定の種別以外の紙葉類を判定対象としないように設定することを特徴とする。
【００１２】
また、本発明は、上記の発明において、前記設定部により判定対象として設定された正規な紙葉類の画像データ又は該画像データに含まれる透かし部分、蛍光部分、ホログラム、スレッド部分、マイクロ文字部分のうちの一つ又は複数を登録データとして記憶する記憶部をさらに備え、前記判定部は、前記撮像部により撮像された所定の種別の紙葉類の画像データ又は該画像データに含まれる透かし部分、蛍光部分、ホログラム、スレッド部分、マイクロ文字部分の一つ又は複数の組合せと、前記記憶部に記憶された登録データとに基づいて、前記設定部により判定対象として設定された紙葉類の真偽判定処理を行うことを特徴とする。
【００１３】
また、本発明は、上記の発明において、前記送信処理部は、所定の種別の紙葉類の画像データとともに、該紙葉類についての判定部による判定結果を該紙葉類に対応する所定の管理装置に対して送信処理することを特徴とする。
【００１４】
また、本発明は、上記の発明において、前記紙葉類は商品の決済に使用可能な商品券であり、前記設定部は、発行元へのデータの送信が必要な商品券を判定対象に設定し、発行元への現物の送付が必要な商品券を判定対象としないことを特徴とする。
【００１５】
また、本発明は、上記の発明において、前記紙葉類は貨幣であり、前記設定部は、第１の国が発行した貨幣を判定対象に設定し、第２の国が発行した貨幣を判定対象としないことを特徴とする。
【００１６】
また、本発明は、紙葉類処理装置と、所定の管理装置とを通信可能に接続した紙葉類処理システムであって、前記紙葉類処理装置は、紙葉類が投入される投入部と、少なくとも真偽判定を含む判定対象とする紙葉類と、判定対象としない紙葉類を設定する設定部と、前記投入部から投入された紙葉類のうち、前記設定部により判定対象として設定された紙葉類に係るデータを前記管理装置に対して通知する紙葉類データ通知部とを有し、前記管理装置は、前記紙葉類処理装置から通知された紙葉類に係るデータに基づいて、該紙葉類に関する少なくとも真偽判定を行う判定部と、前記判定部による判定結果を前記紙葉類処理装置に通知する判定結果通知部とを有することを特徴とする。
【００１７】
また、本発明は、上記の発明において、前記管理装置は、前記判定部により前記紙葉類が偽であると判定された場合に、該紙葉類に係る情報を各店舗の管理装置に通知する偽情報通知部をさらに備えたことを特徴とする。
【００１８】
また、本発明は、紙葉類が投入される投入部を有する紙葉類処理装置における紙葉類処理方法であって、少なくとも真偽判定を含む判定対象とする紙葉類と、判定対象としない紙葉類を設定する設定工程と、前記投入部から投入された紙葉類のうち、前記設定工程により判定対象として設定された紙葉類に関する少なくとも真偽判定処理を行う判定工程とを含んだことを特徴とする。
【発明の効果】
【００１９】
本発明によれば、紙葉類の真偽判定を効率良く行うことができる。
【図面の簡単な説明】
【００２０】
【図１】図１は、実施例１に係る売上金入金機の概念を説明するための説明図である。
【図２】図２は、実施例１に係る売上金入金機の外観構成を示す斜視図である。
【図３】図３は、図２に示した売上金入金機の内部構成を示す図である。
【図４】図４は、売上金入金機の機能ブロック図である。
【図５】図５は、図４に示した在高データ及び商品券データの一例を示す図である。
【図６】図６は、図４に示した判定設定データ及び登録データの一例を示す図である。
【図７】図７は、図２に示した売上金入金機の商品券に係る処理手順を示すフローチャートである。
【図８】図８は、商品券の真偽判定結果の利用についての説明図である。
【図９】図９は、実施例２に係る紙葉類処理システムの概念を説明するための説明図である。
【図１０】図１０は、偽造券の情報共有についての説明図である。
【図１１】図１１は、売上金入金機の機能ブロック図である。
【発明を実施するための形態】
【００２１】
以下に、添付図面を参照して、本発明に係る紙葉類処理装置、紙葉類処理システム及び紙葉類処理方法の実施例を説明する。なお、本実施例では、本発明を売上金入金機に適用した場合について説明するが、これにより本発明が限定されるものではなく、複数種類の紙葉類の投入を受け付ける各種の紙葉類処理装置に適用することができる。
【実施例１】
【００２２】
＜売上金入金機の概念＞
まず、本実施例１に係る売上金入金機の概念について説明する。図１は、実施例１に係る売上金入金機の概念を説明するための説明図である。同図に示す売上金入金機１００は、店舗のバックヤード等に設置され、店舗に配設された複数のレジに所在する売上金の入金を受け付ける装置である。この売上金入金機１００には、着脱可能に紙葉類カセット５３、５４が設けられており、売上金として入金された紙幣は、紙葉類カセット５３又は紙葉類カセット５４に収納される。同様に、売上金として入金された硬貨は、図示しない硬貨カセットに収納される。さらに、売上金入金機１００は、貨幣のみならず商品券の投入を受け付けることができ、商品券を紙葉類カセット５３又は紙葉類カセット５４に収納することができる。なお、所定の時刻になると、警送会社や店舗などの回収担当者によって紙葉類カセット５３、５４や硬貨カセットが売上金入金機１００から取り外され、現金センタに配送される。
【００２３】
売上金入金機１００は、紙幣や硬貨を投入された場合にはその金種及び真偽を判定し、偽造の紙幣や硬貨については排出する。このため、売上のうち偽造の紙幣や硬貨によって支払われた分については、店舗内で減損処理を行うことができる。
【００２４】
一方、売上金入金機１００は、商品券を投入された場合には、その種別によって真偽判定を行うか否かを決定する。商品券の種類は５０００種類以上存在するので、全ての種類の商品券を真偽判定することは現実的ではない。そこで、商品券の中でも流通量が多いなど、重要度の高い商品券について選択的に真偽を判定し、少なくとも商品券の一部については店内で減損処理を可能としているのである。
【００２５】
一般に、商品券に係るデータを発行元に送信することで額面分の金額を請求するデータ請求券は、発行元に商品券の現物を送付することで額面分の金額を請求する現物請求券に比して流通量が多い。そこで、本実施例では、データ請求券を真偽判定の対象とし、現物請求券は真偽判定としない場合を例に説明を行う。なお、真偽判定の要否は適宜設定可能であり、データ請求券の一部又は全てについて真偽判定を行わない設定としてもよいし、現物請求券の一部又は全てについて真偽判定を行う設定としてもよい。
【００２６】
具体的には、図１に示した売上金入金機１００は、商品券の種別と真偽判定の要否とを対応付けた判定設定データ９０ｃを保持している。判定設定データ９０ｃは、種別「Ａ００１」の商品券に請求種別「データ請求」と真偽判定要否「要」を対応付けている。また、種別「Ｂ００１」の商品券に請求種別「現物請求」と真偽判定要否「否」を対応付けている。
【００２７】
売上金入金機１００は、種別判定部９１ｂ及び真偽判定部９２ａを有する。種別判定部９１ｂは、投入された商品券の種別を判定し、判定設定データ９０ｃを参照する。その結果、商品券の種別に真偽判定要否「要」が設定されていれば、真偽判定部９２ａによる真偽判定を行う。真偽判定の結果、偽造券と判定した場合には、売上金入金機１００は商品券を排出し、真正券と判定した場合には、売上金入金機１００は商品券を紙葉類カセット５３，５４に収納する。一方、商品券の種別に真偽判定要否「否」が設定されていれば、売上金入金機１００は、真偽判定部９２ａによる真偽判定を行うことなく、商品券を紙葉類カセット５３，５４に収納する。
【００２８】
従って、売上金入金機１００に種別「Ａ００１」の商品券を投入したならば、真偽判定が行われて、偽造券であれば排出され、真正券であれば紙葉類カセット５３，５４に収納されることになる。そして、売上金入金機１００に種別「Ｂ００１」の商品券を投入したならば、真偽判定が行われることなくそのまま紙葉類カセット５３，５４に収納される。
【００２９】
このように、売上金入金機１００は、真偽判定の対象とする商品券と、真偽判定の対象としない商品券とを設定し、投入された商品券のうち、判定対象として設定された商品券の真偽判定処理を行うので、商品券の真偽判定を効率良く行うことができる。このため、偽造券を早期に発見し、対策や減損処理を行うことが可能となる。
【００３０】
＜売上金入金機の外観構成＞
次に、本実施例１に係る売上金入金機１００の外観構成について説明する。図２は、本実施例１に係る売上金入金機１００の外観構成を示す斜視図である。同図に示すように、売上金入金機１００は、表示操作部７３、ＩＣカードリーダ７１、レシートプリンタ７２、硬貨投入部１１０、紙葉類投入部１０、紙葉類リジェクト部４１、紙葉類スタッカ４２及び硬貨リジェクト部１４１を有する。
【００３１】
表示操作部７３は、売上金入金機１００の最上部に設けられ、各種処理に係る画面表示を行うとともにレジ担当者又は回収担当者による操作入力を受け付けるタッチ式のディスプレイである。ＩＣカードリーダ７１は、レジ担当者又は回収担当者の担当者カードなどのＩＣカードに記憶されたデータを読み取るカードリーダである。レシートプリンタ７２は、レシート等を印字する感熱式等の印字部である。
【００３２】
硬貨投入部１１０は、レジ担当者が硬貨を投入する投入部であり、紙葉類投入部１０は、レジ担当者が紙幣や商品券を投入する投入部である。かかる硬貨投入部１１０及び紙葉類投入部１０には、レジ担当者が持参する売上金をなす硬貨、紙幣及び商品券がそれぞれ投入される。
【００３３】
紙葉類リジェクト部４１は、紙葉類投入部１０に投入された紙葉類のうち、金種の識別ができなかった紙幣、偽造券であると判定された紙幣及び商品券が搬送される排出部である。紙葉類スタッカ４２は、予め設定された所定の条件に合致する紙幣や商品券が搬送されるスタッカである。硬貨リジェクト部１４１は、硬貨投入部１１０に投入された硬貨のうち、金種の識別できなかった硬貨や偽造と判定された硬貨を排出する排出部である。
【００３４】
＜売上金入金機の売上金の入金時の動作＞
次に、売上金入金機１００の売上金の入金時の動作について説明する。ここでは、レジ担当者が、レジに配設された釣銭機等に所在する売上金を売上金入金機１００に入金する場合を示すこととするが、レジ担当者とは別の店員が売上金を売上金入金機１００に入金する場合に適用することもできる。
【００３５】
まず、レジ担当者が、売上金入金機１００のＩＣカードリーダ７１に担当者カード（ＩＣカード）を翳すと、ＩＣカードリーダ７１は、この担当者カードに記憶されている担当者の識別情報を読み取り、この識別情報に基づいてレジ番号を特定する。なお、レジ担当者は、表示操作部７３からレジ番号等を直接入力することもできる。
【００３６】
その後、レジ担当者は、釣銭機等から回収した紙幣を紙葉類投入部１０に投入するとともに、釣銭機等から回収した硬貨を硬貨投入部１１０に投入し、表示操作部７３を用いて貨幣入金の指示操作を行う。売上金入金機１００は、貨幣入金の指示操作を受け付けると、紙葉類投入部１０に投入された紙幣を繰り出して、紙幣の真偽及び金種の識別を行い、真正券と判定された紙幣の金種別の枚数を計数する。また、硬貨投入部１１０に投入された硬貨を繰り出して、硬貨の真偽及び金種の識別を行い、真正貨と判定された硬貨の金種別の枚数を計数する。
【００３７】
商品券を入金する場合には、レジ担当者は、釣銭機等から回収した商品券を紙葉類投入部１０に投入するとともに、表示操作部７３を用いて商品券入金の指示操作を行う。売上金入金機１００は、商品券入金の指示操作を受け付けると、紙葉類投入部１０に投入された商品券を繰り出して種別を判定し、必要に応じて真偽を判定し、偽造券以外の商品券の額面と枚数を計数する。
【００３８】
紙幣、商品券及び硬貨の計数処理が行われると、売上金入金機１００は、表示操作部７３に計数処理結果を表示し、表示した内容により入金処理を行う旨の操作（承認操作）を受け付けると、計数された紙幣、商品券及び硬貨をそれぞれ紙葉類カセット及び硬貨カセットに収納する。
【００３９】
その後、入金データを図示しない入金履歴データに登録する。また、売上金入金機１００は、レジ担当者及び回収元のレジ番号を含む認証情報と、入金データとを含むレシート（入金結果明細）を発行する。
【００４０】
このように、売上金入金機１００は、担当者カードを受け付けて回収元のレジ番号を特定し、貨幣及び商品券を受け付けて、受け付けた貨幣及び商品券を識別して計数し、レジ番号及び入金データを入金履歴データに登録するとともに、これらの内容を含むレシートを発行する。
【００４１】
＜売上金入金機の内部構成及び動作＞
次に、図２に示した売上金入金機１００の内部構成及び動作について説明する。図３は、図２に示した売上金入金機１００の内部構成を示す図である。
【００４２】
まず、紙葉類の入金処理に関する部分について説明する。紙葉類投入部１０に投入された紙葉類は、紙葉類搬送部３０により紙幣の金種の識別や商品券の種別の判定を行う紙葉類識別部２０に搬送される。紙葉類識別部２０は、搬送された紙葉類の画像等を取得するイメージスキャナを含む。紙葉類識別部２０で識別された紙葉類は、紙葉類搬送部３０により、紙葉類リジェクト部４１、紙葉類スタッカ４２、紙葉類一時保留部４３又は紙葉類一時保留部４４に搬送される。また、紙葉類識別部２０から紙葉類リジェクト部４１の間の紙葉類搬送部３０には、消し込み部７４が配置されている。消し込み部７４は、使用済みであることを表す無効化情報を商品券に印字するプリンタである。
【００４３】
紙葉類リジェクト部４１には、紙葉類識別部２０で金種の識別ができなかった紙幣と、紙葉類識別部２０で偽造券と判定された商品券が搬送される。紙葉類一時保留部４３及び４４には、紙葉類識別部２０において金種が識別された紙幣と偽造券以外の商品券が搬送される。
【００４４】
また、紙葉類一時保留部４３及び４４の下方向には、それぞれ紙葉類カセット５３及び５４が配設される。紙葉類一時保留部４３に一時保留された紙葉類は紙葉類カセット５３に収納され、紙葉類一時保留部４４に一時保留された紙葉類は紙葉類カセット５４に収納される。なお、紙葉類一時保留部４３、４４を含む保留ユニットを装置手前に引き出すと、紙葉類一時保留部４３及び４４に一時保留された紙葉類が取り出し可能となる。
【００４５】
次に、硬貨の入金処理に関する部分について説明する。硬貨投入部１１０に投入された硬貨は、硬貨識別部１２０に受け渡される。硬貨識別部１２０は、硬貨投入部１１０から繰り出された硬貨の金種の識別を行う。硬貨識別部１２０により識別処理の行われた硬貨は、３個の振分機構を有する硬貨搬送部１３０により硬貨リジェクト部１４１、硬貨一時保留部１４３、１４４のいずれかに搬送される。
【００４６】
硬貨リジェクト部１４１には、硬貨識別部１２０で金種の識別ができなかった硬貨が搬送される。硬貨一時保留部１４３、１４４には、硬貨識別部１２０で金種の識別ができた硬貨が振り分けられる。
【００４７】
また、硬貨一時保留部１４３、１４４の下方向には、返却の指示を受け付けて硬貨一時保留部１４３、１４４に搬送された硬貨を返却するための硬貨返却箱１４５、１４６がそれぞれ配置され、計数済みの硬貨が硬貨一時保留部１４３、１４４に一時保留されている状態で計数済み硬貨の返却指示操作を受け付けると、硬貨一時保留部１４３、１４４に一時保留されている硬貨は硬貨返却箱１４５、１４６に移される。また、硬貨返却箱１４５、１４６よりもさらに下方向には、収納の指示を受け付けて硬貨一時保留部１４３、１４４に搬送された硬貨を収納するための硬貨カセット１５３、１５４が配設される。硬貨一時保留部１４３に一時保留された硬貨は硬貨カセット１５３に収納され、硬貨一時保留部１４４に一時保留された硬貨は硬貨カセット１５４に収納される。なお、硬貨返却箱１４５、１４６を含む硬貨保留ユニットを装置手前に引き出すと、硬貨返却箱１４５、１４６に搬送されている硬貨が取り出し可能となる。
【００４８】
また、売上金入金機１００は、上部ユニット１０１、下部ユニット１０２からなる。売上金入金機１００に収納された貨幣を回収する権限を有する回収担当者によって所定の操作が行われると、電磁ロックが解除され、紙葉類カセット５３、５４及び硬貨カセット１５３、１５４を含む下部ユニット１０２が引き出し可能となる。下部ユニット１０２を引き出すことで、紙葉類カセット５３、５４及び硬貨カセット１５３、１５４を取り出すことができる。警送会社や店舗等の回収担当者は、下部ユニット１０２を引き出して、紙葉類カセット５３、５４及び硬貨カセット１５３、１５４を取り出して現金センタ等に持ち出すことになる。
【００４９】
＜売上金入金機の機能的な内部構成＞
次に、図２に示した売上金入金機１００の機能的な内部構成を説明する。図４は、売上金入金機１００の機能ブロック図である。売上金入金機１００には、オブション機器として通帳プリンタ８０等を接続することができる。通帳プリンタ８０は、売上金入金機１００に売上金を入金した履歴を通帳式の記録媒体に出力するための出力機器である。
【００５０】
売上金入金機１００は、通信部７０、ＩＣカードリーダ７１、レシートプリンタ７２、表示操作部７３、記憶部９０、本体制御部９１、紙葉類処理ユニット及び硬貨処理ユニットを有する。紙葉類処理ユニットは、紙葉類にかかる処理を行うユニットであり、紙葉類制御部９２、紙葉類投入部１０、紙葉類識別部２０、紙葉類搬送部３０、紙葉類リジェクト部４１、紙葉類スタッカ４２、紙葉類一時保留部４３、４４、消し込み部７４、紙葉類カセット５３、５４を有する。硬貨処理ユニットは、硬貨にかかる処理を行うユニットであり、硬貨制御部９３、硬貨投入部１１０、硬貨識別部１２０、硬貨搬送部１３０、硬貨リジェクト部１４１、硬貨一時保留部１４３、１４４、硬貨返却箱１４５、１４６、硬貨カセット１５３、１５４を有する。ここでは、図３に示されていない部分を中心に説明する。
【００５１】
通信部７０は、通信線及び通信網を介して他の装置とデータ通信を行うためのインタフェース部である。記憶部９０は、ハードディスク装置や不揮発性メモリ等の記憶デバイスであり、在高データ９０ａ、商品券データ９０ｂ、判定設定データ９０ｃ及び登録データ９０ｄを有する。
【００５２】
在高データ９０ａは、紙葉類カセット５３，５４に収納されている紙幣の金種別枚数と商品券の種類別枚数、硬貨カセット１５３，１５４に収納されている硬貨の金種別枚数のデータである。商品券データ９０ｂは、売上金入金機１００が収納対象とする商品券を設定したデータである。判定設定データ９０ｃは、商品券の真偽判定の要否を設定したデータである。登録データ９０ｄは、商品券の真偽判定に使用する比較用のデータであり、正規の商品券である真正券の特徴を示す。
【００５３】
本体制御部９１は、売上金入金機１００の全体を制御する制御部であり、操作者の認証処理、各種入出力の制御、売上の集計、記憶部９０が記憶するデータの管理などを行う。
【００５４】
具体的には、本体制御部９１は、ＩＣカードリーダ７１により担当者カードからレジ担当者又は担当者の識別情報を読み取り、売上金の入金処理若しくは入金された貨幣を取り出す回収処理の権限の有無を判定することで認証処理を行う。
【００５５】
また、本体制御部９１は、各種入出力の制御として、表示操作部７３による表示出力、表示操作部７３による操作入力、通信部７０による他の装置との通信の制御、通帳プリンタ８０による印字の制御、レシートプリンタ７２によるレシートの印刷の制御、紙葉類制御部９２及び硬貨制御部９３とのデータの送受信を行う。
【００５６】
また、本体制御部９１は、紙葉類処理ユニットによる紙葉類の計数結果と、硬貨処理ユニットによる硬貨の計数結果とを用いて売上の集計を行う。売上の集計結果は、表示操作部７３に表示制御される。
【００５７】
また、本体制御部９１は、記憶部９０が記憶するデータの管理として、例えば紙葉類処理ユニットや硬貨処理ユニットにおいて入金や出金が行われた場合に、在高データ９０ａを更新する。
【００５８】
さらに、本体制御部９１は、判定対象設定部９１ａ、種別判定部９１ｂ、送信処理部９１ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００５９】
判定対象設定部９１ａは、真偽判定の対象とする商品券を設定する処理部である。具体的には、判定対象設定部９１ａは、売上金入金機１００が収納対象とする商品券に関する情報を商品券データ９０ｂとして記憶部９０に格納する。また、判定対象設定部９１ａは、売上金入金機１００が収納対象とする商品券について真偽判定要否を対応付け、判定設定データ９０ｃとして記憶部９０に格納する。さらに、真偽判定の対象として設定された各商品券について、真偽判定に使用する比較用のデータを登録データ９０ｄとして記憶部９０に格納する。
【００６０】
商品券データ９０ｂ、判定設定データ９０ｃ及び登録データ９０ｄは、適宜追加、変更、削除が可能である。また、真偽判定に使用する比較用のデータとしては、正規な商品券の画像データを用いてもよいし、該画像データに含まれる透かし部分、蛍光部分、ホログラム、スレッド部分、マイクロ文字部分のうちの一つ又は複数を用いてもよい。また、可視光の反射像に限らず、赤外光や紫外光の反射像や透過像の画像データを用いることができる。さらに、磁気パターン、商品券自体の形状や大きさ等を用いることもできる。
【００６１】
種別判定部９１ｂは、紙葉類制御部９２から商品券の画像データを受信した場合に、商品券データ９０ｂを参照し、商品券の種別を判定する。さらに、種別判定部９１ｂは、種別の判定結果に基づいて判定設定データ９０ｃを参照し、真偽判定要否を特定する。種別判定部９１ｂは、特定した真偽判定要否を紙葉類制御部９２に送信する。このとき、真偽判定要否「要」であるならば、種別判定部９１ｂは、対応する商品券の真偽判定用のデータを登録データ９０ｄから読み取り、特定した真偽判定要否とともに紙葉類制御部９２に送信する。
【００６２】
送信処理部９１ｃは、データ請求券に係る情報（例えば商品券を撮像した画像データ）を他の装置に送信する処理を行う。データ請求券では、このときの送信データに基づいて請求が行われることになる。送信先は、データ請求券の発行元に設けられた管理装置であっても良いが、店舗の売上を管理する本部など、発行元以外に設けられた管理装置であってもよい。この場合には、例えば本部に設けられた管理装置が複数の店舗で回収されたデータ請求券に係る情報を取りまとめ、発行元への請求を一括して行うことができる。
【００６３】
また、送信処理部９１ｃは、真偽判定の結果を所定の管理装置に対して送信処理することができる。例えば、商品券の発行元や本部に設けられた管理装置に、真偽判定の結果を送信することで、偽造券の使用の実態を把握することが可能となる。また、偽造券の画像データなどを併せて送信することとすれば、どのような偽造券が使用されているかも把握することができる。
【００６４】
紙葉類制御部９２は、紙葉類処理ユニットを制御し、紙葉類の収納を行う。具体的には、紙葉類制御部９２は、紙葉類投入部１０で受け付けた紙幣の金種の識別及び金種別の枚数の計数を行って本体制御部９１に通知する。そして、計数済の紙幣の入金指示を本体制御部９１から受信したならば、紙幣を紙葉類カセット５３，５４に収納する。
【００６５】
また、紙葉類制御部９２は、紙葉類投入部１０で受け付けた商品券を紙葉類識別部２０で撮像し、得られた画像データを本体制御部９１に送信する。本体制御部９１の種別判定部９１ｂからは、真偽判定要否が返され、また、真偽判定が必要であるならば、真偽判定用のデータも返される。
【００６６】
紙葉類制御部９２は、真偽判定用のデータを用いて商品券の真偽判定を行う真偽判定部９２ａを有する。真偽判定部９２ａは、真偽判定が必要である場合には、紙葉類識別部２０が取得した商品券のデータと真偽判定用のデータとを比較することで、投入された商品券の真偽を判定する。この判定は、例えば、双方のデータの相互相関を取り、閾値以上となった場合に商品券が真正券であると判定するなど、任意の手法を用いることができる。
【００６７】
紙葉類制御部９２は、真偽判定により偽造券と判定した商品券は紙葉類リジェクト部４１に排出する。また、偽造券以外の商品券の計数を行って本体制御部９１に通知する。そして、計数済の商品券の入金指示を本体制御部９１から受信したならば、商品券を紙葉類カセット５３，５４に収納する。
【００６８】
硬貨制御部９３は、硬貨処理ユニットを制御し、硬貨の収納を行う。具体的には、硬貨制御部９３は、硬貨投入部１１０で受け付けた硬貨の金種の識別及び金種別の枚数の計数を行って本体制御部９１に通知する。そして、計数済の硬貨の入金指示を本体制御部９１から受信したならば、硬貨を硬貨カセット１５３，１５４に収納する。
【００６９】
＜データの一例＞
次に、図４に示した在高データ９０ａ、商品券データ９０ｂ、判定設定データ９０ｃ及び登録データ９０ｄの一例について図５及び図６を用いて説明する。図５は、図４に示した在高データ９０ａ及び商品券データ９０ｂの一例を示す図である。また、図６は、図４に示した判定設定データ９０ｃ及び登録データ９０ｄの一例を示す図である。
【００７０】
図５（ａ）に示す在高データ９０ａは、紙葉類カセット５３、５４及び硬貨カセット１５３、１５４にそれぞれ収納されている紙幣及び硬貨の金種別の枚数と、商品券の種別毎の枚数とを含むデータである。ここでは、紙葉類カセット５３、５４において、万円券が「２３０枚」、五千円券が「２０枚」、千円券が「４０枚」収納されている状態を示している。また、硬貨カセット１５３、１５４において、５００円貨が「１０枚」、１００円貨が「３５枚」、５０円貨が「２０枚」、１０円貨が「６０枚」、５円貨が「１５枚」、１円貨が「４０枚」収納されている状態を示している。また、紙葉類カセット５３、５４において、種別「Ａ００１」の商品券が「２０枚」、種別「Ｂ００１」の商品券が「８枚」収納されている状態を示している。
【００７１】
なお、図５（ａ）では、紙葉類カセット５３、５４のどちらにどれだけの紙葉類が収納されているかを区別していないが、紙葉類カセット５３と紙葉類カセット５４のそれぞれについて在高を管理するようにしてもよい。同様に、硬貨カセット１５３、１５４のどちらにどれだけの硬貨が収納されているかを区別していないが、硬貨カセット１５３と硬貨カセット１５４のそれぞれについて在高を管理するようにしてもよい。
【００７２】
図５（ｂ）に示す商品券データ９０ｂは、商品券の種別に額面と券面の画像データとを対応付けたデータである。ここでは、商品券の種別「Ａ００１」に額面「１０００」と券面データ「ａ００１ｔｒｕｅ．ｂｍｐ」とを対応付けた状態を示している。また、商品券の種別「Ｂ００１」に額面「５００」と券面データ「ｂ００１ｔｒｕｅ．ｂｍｐ」とを対応付けた状態を示している。
【００７３】
図６（ｃ）に示す判定設定データ９０ｃは、商品券の種別に請求の種別と真偽判定の要否とを対応付けたデータである。ここでは、商品券の種別「Ａ００１」に請求の種別「データ請求」と真偽判定要否「要」とを対応付けた状態を示している。また、商品券の種別「Ｂ００１」に請求の種別「現物請求」と真偽判定要否「否」とを対応付けた状態を示している。
【００７４】
図６（ｄ）に示す登録データ９０ｄは、真偽判定の対象となる商品券の種別に真正券データを対応付けたデータである。真正券データは、正規の商品券である真正券の特徴を示し、商品券の真偽判定において比較用のデータとして用いられる。ここでは、商品券の種別「Ａ００１」に真正券データ「Ｐａｔｔｅｒｎ−ａ００１」を対応付けた状態を示している。
【００７５】
＜売上金入金機の処理手順＞
次に、図２に示した売上金入金機１００の商品券に係る処理手順について説明する。図７は、図２に示した売上金入金機１００の商品券に係る処理手順を示すフローチャートである。まず、判定対象設定部９１ａは、真偽判定の対象を設定する操作を受け付けたか否かを判定する（ステップＳ１０１）。真偽判定の対象を設定する操作を受け付けたならば（ステップＳ１０１；Ｙｅｓ）、判定対象設定部９１ａは、受け付けた操作に基づいて判定設定データ９０ｃを更新する（ステップＳ１０２）。
【００７６】
ステップＳ１０２の後、若しくは真偽判定の対象を設定する操作を受け付けていなければ（ステップＳ１０１；Ｎｏ）、紙葉類制御部９２は、紙葉類投入部１０への商品券の投入を受け付けたか否かを判定する（ステップＳ１０３）。商品券の投入を受け付けていなければ（ステップＳ１０３；Ｎｏ）、売上金入金機１００は、商品券に係る処理を終了する。
【００７７】
商品券の投入を受け付けたならば（ステップＳ１０３；Ｙｅｓ）、紙葉類識別部２０が撮像した商品券の画像データに基づいて、種別判定部９１ｂが商品券の種別を判定する（ステップＳ１０４）。そして、種別判定部９１ｂは、種別の判定結果に基づいて判定設定データ９０ｃを参照し、真偽判定要否を特定する（ステップＳ１０５）。
【００７８】
真偽判定が必要であるならば（ステップＳ１０５；Ｙｅｓ）、真偽判定部９２ａは、紙葉類識別部２０が取得した商品券のデータと真偽判定用のデータとを比較することで、投入された商品券の真偽を判定する（ステップＳ１０７）。その結果、真正券ではないと判定したならば（ステップＳ１０８；Ｎｏ）、紙葉類制御部９２が商品券を紙葉類リジェクト部４１に排出し（ステップＳ１０９）、商品券に係る処理を終了する。
【００７９】
真偽判定により真正券と判定した場合（ステップＳ１０８；Ｙｅｓ）、若しくは真偽判定が不要である場合（ステップＳ１０５；Ｎｏ）、紙葉類制御部９２は、商品券を収納して（ステップＳ１０６）、処理を終了する。
【００８０】
＜商品券の真偽判定結果の利用＞
次に、商品券の真偽判定結果の利用について説明する。図８は、商品券の真偽判定結果の利用についての説明図である。既に説明したように、売上金入金機１００は、レジに配設された釣銭機等から回収した貨幣及び商品券の投入を受け付ける。売上金入金機１００は、投入された貨幣及び商品券を計数し、売上金を算定することができる。算定された売上金は、売上金データとして本部の管理装置２００に送信される。
【００８１】
ここで、偽造された商品券である偽造券をそのまま受け付け、偽造券の額面を売上金に含めたならば、偽造券の額面を含む売上金データが管理装置２００に送信されてしまう。その後、偽造券が発見されると、本部側と店舗とで連携しつつ偽造券分の減損処理を行う事態となり、大きな作業負荷が生じる。
【００８２】
そこで、売上金入金機１００は、予め設定した種別の商品券について選択的に真偽判定を実行し、偽造券であれば排出する。かかる構成により、店舗内で偽造券分の減損処理が可能となるので、売上金データに偽造券の額面が含まれる事態を避け、作業負荷を抑えることができる。
【００８３】
上述してきたように、本実施例１に係る紙幣処理装置である売上金入金機１００は、真偽判定の対象とする商品券と、真偽判定の対象としない商品券とを設定し、紙葉類投入部１０から投入された商品券のうち、判定対象として設定された商品券の真偽判定処理を行うので、紙葉類の真偽判定を効率良く行うことができる。
【実施例２】
【００８４】
ところで、上記実施例１では、紙葉類処理装置である売上金入金機１００が商品券の真偽判定を行うこととしたが、本発明はこれに限定されるものではなく、売上金入金機が商品券の投入を受け付け、商品券の真偽判定を他の装置に行わせる紙葉類処理システムとして実施することもできる。このため、本実施例２では、商品券の受付と真偽判定を異なる装置が行う場合を示すこととする。なお、上記実施例１と同様の部分については、同一の符号を付すこととして、その詳細な説明を省略する。
【００８５】
まず、本実施例２に係る紙葉類処理システムの概念について説明する。図９は、実施例２に係る紙葉類処理システムの概念を説明するための説明図である。同図に示す紙葉類処理システムは、店舗のバックヤード等に設置された紙葉類処理装置である売上金入金機３００と、店舗の外部、例えば本部や所定のデータ管理センタなどに設置された商品券処理サーバ４００とを接続した構成を有する。
【００８６】
売上金入金機３００は、商品券の投入を受け付けると（１）、実施例１に示した売上金入金機１００と同様に商品券の種別を判定し、真偽判定の要否を特定する。売上金入金機３００は、商品券データ通知部３０１ａを有しており、受け付けた商品券について真偽判定が必要である場合には、受け付けた商品券に係る受付商品券データを商品券データ通知部３０１ａが商品券処理サーバ４００に通知する（２）。
【００８７】
商品券処理サーバ４００は、真偽判定部４０１及び判定結果通知部４０２を有する。真偽判定部４０１は、真偽判定用のデータを商品券の種別ごとに保持しており、売上金入金機３００から受信した受付商品券データと対応する種別の真偽判定用のデータとを用いて真偽判定を行う。
【００８８】
判定結果通知部４０２は、真偽判定部４０１による判定の結果を売上金入金機３００に通知する処理を行う（３）。
【００８９】
売上金入金機３００は、商品券処理サーバ４００から受信した判定結果に基づいて、投入された商品券の処理を行う。具体的には、真偽判定の結果が偽造券であるとの判定結果通知を受信したならば、売上金入金機３００は、投入された商品券を排出する。そして、真偽判定の結果が真正券であるとの判定結果通知を受信したならば、売上金入金機３００は、投入された商品券を収納する。なお、売上金入金機３００は、投入された商品券について真偽判定が不要であると判定した場合には、受付商品券データを商品券処理サーバ４００に通知することなく商品券を収納する。
【００９０】
このように、売上金入金機３００は、投入された商品券のうち真偽判定対象として設定された商品券に係る受付商品券データを商品券処理サーバ４００に通知し、商品券処理サーバ４００は、通知された受付商品券データに基づいて、商品券の真偽判定を行って判定結果を売上金入金機３００に通知する。このため、商品券の真偽判定を効率良く行うことができ、偽造券を早期に発見し、対策や減損処理を行うことが可能となる。
【００９１】
さらに、商品券処理サーバ４００が真偽判定により偽造券と判定した場合には、該偽造券に係る情報を他の装置に通知することとしてもよい。偽造券に関する情報を共有することで、真偽判定の精度の向上や、偽造券の流通実態の把握に寄与することができるからである。
【００９２】
図１０は、偽造券の情報共有についての説明図である。図１０では、売上金入金機３００と通信接続された商品券処理サーバ４００は、真偽判定部４０１と判定結果通知部４０２に加え、偽造券データ通知部４０３を有する。また、売上金入金機５００は、売上金入金機３００と同様の構成を有し、売上金入金機３００とは異なる店舗に設置されている。この売上金入金機５００は、商品券処理サーバ４００と同様の構成を有する商品券処理サーバ６００と通信接続される。さらに商品券処理サーバ４００と商品券処理サーバ６００とは通信可能である。
【００９３】
図９と同様に、売上金入金機３００に真偽判定の対象となる商品券が投入されると（１）、商品券データ通知部３０１ａが商品券処理サーバ４００に受付商品券データ通知を送信する（２）。商品券処理サーバ４００では、真偽判定部４０１による真偽判定が行われ、判定結果通知部４０２が売上金入金機３００に対して判定結果通知を送信する（３）。
【００９４】
そして、真偽判定部４０１が真偽判定により偽造券と判定した場合には、該偽造券の受付商品券データを偽造券データとし、偽造券データ通知部４０３が商品券処理サーバ６００に通知する（４）。
【００９５】
偽造券データ通知を受信した商品券処理サーバ６００は、偽造券データを以降の真偽判定に反映させる。具体的には、真偽判定に使用する登録データを更新することで、真偽判定の精度を向上する。
【００９６】
従って、売上金入金機５００に真偽判定の対象となる商品券が投入され（５）、商品券処理サーバ６００に商品券データ通知が送信されると（６）。商品券処理サーバ６００は、更新された登録データを用いて精度良く真偽判定を実行し、判定結果通知を送信することができる（７）。
【００９７】
次に、図９に示した売上金入金機３００の機能的な内部構成を説明する。図１１は、売上金入金機３００の機能ブロック図である。売上金入金機３００は、紙葉類制御部９２に真偽判定部９２ａを有さず、記憶部９０に登録データ９０ｄを格納されない。また、本体制御部９１に商品券データ通知部３０１ａをさらに備える。
【００９８】
この売上金入金機３００では、種別判定部９１ｂは、紙葉類制御部９２から商品券の画像データを受信した場合に、商品券データ９０ｂを参照し、商品券の種別を判定する。さらに、種別判定部９１ｂは、種別の判定結果に基づいて判定設定データ９０ｃを参照し、真偽判定要否を特定する。種別判定部９１ｂは、真偽判定要否「否」であるならば、紙葉類制御部９２にその旨を通知する。そして、真偽判定要否「要」であるならば、種別判定部９１ｂは、商品券データ通知部３０１ａに受付商品券データの通知を依頼し、商品券処理サーバ４００からの判定結果通知に示された判定結果を紙葉類制御部９２に通知する。
【００９９】
従って、紙葉類制御部９２は、種別判定部９１ｂからの通知に基づき、偽造券の排出と偽造券以外の商品券の収納を行うことになる。
【０１００】
その他の構成及び動作は図４に示した売上金入金機１００と同様であるので、同一の構成要素には同一の符号を付して説明を省略する。
【０１０１】
上述してきたように、本実施例２では、紙幣処理装置である売上金入金機３００と管理装置である商品券処理サーバ４００とを接続して紙葉類処理システムを構成し、売上金入金機３００が投入された商品券のうち真偽判定対象として設定された商品券に係る受付商品券データを商品券処理サーバ４００に通知し、商品券処理サーバ４００が通知された受付商品券データに基づいて真偽判定を行って判定結果を売上金入金機３００に通知するよう構成したので、商品券の真偽判定を効率良く行うことができる。
【０１０２】
また、商品券処理サーバ４００は、偽造券に係る情報を他の装置に通知することで、真偽判定の精度の向上や、偽造券の流通実態の把握に寄与することができる。
【０１０３】
＜変形例＞
ここで、偽造券の取扱いの変形例について説明する。上述した実施例１及び２では、偽造券であると判定した商品券をそのまま紙葉類リジェクト部４１から排出する構成を示したが、偽造券を真正券とは異なる収納部に取り込むように構成してもよい。
【０１０４】
一例として、紙葉類カセット５３に偽造券を収納し、紙葉類カセット５４に真正券を収納するならば、紙葉類識別部２０により偽造券と判定された商品券は紙葉類一時保留部４３に搬送され、紙葉類識別部２０により真正券と判定された商品券は紙葉類一時保留部４４に搬送される。その後、所定の確定操作に基づいて、偽造券は紙葉類一時保留部４３から紙葉類カセット５３に搬送され、真正券は紙葉類一時保留部４４から紙葉類カセット５４に搬送されることになる。
【０１０５】
また、偽造券を装置内に取り込む際に、その旨を表示操作部７３に表示することも好適である。このとき、紙葉類識別部２０で撮像された偽造券の画像データを併せて表示することとしてもよい。
【０１０６】
さらに、偽造券を紙葉類一時保留部４３から紙葉類カセット５３に搬送する場合に、所定の権限を有する管理者（例えばマネージャー）の承認を求めることとしてもよい。具体的には、紙葉類一時保留部４３，４４から紙葉類カセット５３，５４への紙葉類の搬送に対応する所定の確定操作が行われた場合に、紙葉類一時保留部４３に偽造券が収納されているか否かを判定し、偽造券が収納されている場合には管理者の承認を求める表示を表示操作部７３に出力する。そして、必要な権限を有する管理者のＩＣカードがＩＣカードリーダ７１により読み取られ、承認操作が行われたことを条件に、紙葉類一時保留部４３，４４から紙葉類カセット５３，５４への紙葉類の搬送を実行する。また、管理者の承認を条件に、紙葉類一時保留部４３に収納していた偽造券を返却することも可能である。
【０１０７】
また、偽造券を装置内に取り込む際に、紙葉類識別部２０で撮像された偽造券の画像データを管理者の端末に送信し、承認を求めることもできる。この場合には、管理者は、売上金入金機１００，３００から離れた場所で、自身の端末に偽造券の画像データを表示させ、承認操作を遠隔で行うことが可能となる。管理者の端末に対して承認操作が行われると、承認操作の受付が売上金入金機１００，３００に通知され、売上金入金機１００，３００は、偽造券の紙葉類カセット５３への収納や返却を実行することができる。
【０１０８】
この他、紙葉類スタッカ４２、紙葉類カセット５３及び紙葉類カセット５４に紙葉類をどのように収納するかは、適宜設定することができる。例えば、紙葉類カセット５３及び紙葉類カセット５４に紙幣と商品券を混在させて収納してもよいし、紙葉類カセット５３を紙幣の収納に割り当て、紙葉類カセット５４に商品券の収納を割り当ててもよい。また、データ請求の商品券については紙葉類スタッカ４２に収納することともできる。
【０１０９】
また、偽造券の処理については、排出して破棄してもよいし、偽造券の現物を現金センタ、本部、商品券の発行元など所定の配送先に配送することとしてもよい。また、偽造券に関するデータを任意の送信先に送信することも可能である。
【０１１０】
データ請求券の真正券の現物について、上述の実施例では紙葉類カセット５３，５４に収納する場合を示したが、紙葉類リジェクト部４１に排出したり、紙葉類スタッカ４２に収納して店舗内で回収してもよい。データ請求券は請求時に現物を必要としないからである。
【０１１１】
また、上述の実施例１では、紙葉類制御部９２に真偽判定部９２ａを設け、紙葉類処理ユニットで真偽判定を行う構成を示したが、真偽判定を本体制御部９１で行う構成としてもよい。また、実施例１及び実施例２では、本体制御部９１で商品券の種別を判定する構成を示したが、商品券の種別の判定を紙葉類処理ユニットや商品券処理サーバ４００が行う構成であってもよい。
【０１１２】
また、上述の実施例１及び２では、真偽判定の対象とする商品券と真偽判定の対象としない商品券とを設定する構成を例示したが、本発明は商品券に限らず、任意の紙葉類に適用することができる。例えば、２つの国の貨幣の入金を受け付ける紙葉類処理装置において、一方の国の貨幣を真偽判定の対象とし、他方の国の貨幣を真偽判定の対象としない、といった構成で実施することが可能である。また、真偽判定のならず、他の判定について対象にするか否かを設定することも可能である。
【０１１３】
また、上述の実施例１及び実施例２では、店舗のバックヤード等に設置され、店舗に配設された複数のレジに所在する売上金の入金を受け付ける売上金入金機に本発明を適用する場合を例示したが、レジに配設された釣銭機に本発明を適用してもよい。この場合には、商取引の際に代金として受け取った貨幣や商品券を釣銭機に入金した時点で真偽判定が可能となり、偽造券による不正な取引の成立を未然に防ぐことができる。
【０１１４】
また、上述の各実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１１５】
以上のように、本発明に係る紙葉類処理装置、紙葉類処理システム及び紙葉類処理方法は、紙葉類の真偽判定を効率良く行うことに適している。
【符号の説明】
【０１１６】
１０  紙葉類投入部
２０  紙葉類識別部
３０  紙葉類搬送部
４１  紙葉類リジェクト部
４２  紙葉類スタッカ
４３、４４  紙葉類一時保留部
５３、５４  紙葉類カセット
７０  通信部
７１  ＩＣカードリーダ
７２  レシートプリンタ
７３  表示操作部
７４  消し込み部
８０  通帳プリンタ
９０  記憶部
９０ａ  在高データ
９０ｂ  商品券データ
９０ｃ  判定設定データ
９０ｄ  登録データ
９１  本体制御部
９１ａ  判定対象設定部
９１ｂ  種別判定部
９１ｃ  送信処理部
９２  紙葉類制御部
９２ａ  真偽判定部
９３  硬貨制御部
１００、３００、５００  売上金入金機
１０１  上部ユニット
１０２  下部ユニット
１１０  硬貨投入部
１２０  硬貨識別部
１３０  硬貨搬送部
１４１  硬貨リジェクト部
１４３、１４４  硬貨一時保留部
１４５、１４６  硬貨返却箱
１５３、１５４  硬貨カセット
２００  管理装置
３０１ａ  商品券データ通知部
４００、６００  商品券処理サーバ
４０１  真偽判定部
４０２  判定結果通知部
４０３  偽造券データ通知部
【図１】
0006598705.tif 000002
【図２】
0006598705.tif 000003
【図３】
0006598705.tif 000004
【図４】
0006598705.tif 000005
【図５】
0006598705.tif 000006
【図６】
0006598705.tif 000007
【図７】
0006598705.tif 000008
【図８】
0006598705.tif 000009
【図９】
0006598705.tif 000010
【図１０】
0006598705.tif 000011
【図１１】
0006598705.tif 000012